(57)【要約】【課題】高度広帯域衛星デジタル放送における階層変調のデータコンテンツ等を適切に伝送することのできる、送信装置、受信装置、およびプログラムを提供する。【解決手段】受信装置は、放送信号を受信する受信部と、階層を判定する階層判定部と、放送信号からアセットを抽出する分離部と、分離部によって抽出された映像アセットをデコードして画像の信号を出力する映像処理部と、分離部によって抽出されたデータアセットを処理して画像の信号を出力するデータ処理部と、映像処理部およびデータ処理部から出力される画像をオーバーレイする提示部とを備える。分離部は、複数の階層に関して共通の制御情報に基づいて、データファイルの所在情報を引き当てる。提示部は、映像アセットの解像度よりもデータアセットの解像度のほうが高解像である場合には、映像アセットによる画像の解像度に合わせて、データアセットによる画像の解像度を下げる。【選択図】図１
2017139814.tif 000002
【特許請求の範囲】
【請求項１】
放送信号を受信する受信部と、
前記放送信号が階層変調されている場合に複数の階層のうちのいずれの階層を受信するかを、受信した前記放送信号に基づいて判定する階層判定部と、
前記放送信号から、前記階層判定部によって決定された階層の、少なくとも映像アセットとデータアセットとを抽出する分離部と、
前記分離部によって抽出された前記映像アセットをデコードすることによって画像の信号を出力する映像処理部と、
前記分離部によって抽出された前記データアセットを処理することによって画像の信号を出力するデータ処理部と、
少なくとも、前記映像処理部および前記データ処理部から出力される画像をオーバーレイして画面に提示する提示部と、
を具備し、
前記受信部は、前記データアセットに関して、前記複数の階層の間で同一のデータファイルの実体を含む放送信号を受信するものであり、
前記分離部は、前記データアセットに関して、前記複数の階層の間で共通の所在情報に基づいて前記データファイルを抽出するものであり、
前記提示部は、前記映像アセットによる画像の解像度よりも前記データアセットによる画像の解像度のほうが高解像である場合には、前記映像アセットによる画像の解像度に合わせて、前記データアセットによる画像の解像度を下げるように当該画像を処理するものであり、
前記分離部は、前記データアセットに関して、前記複数の階層に関して共通のアプリケーション情報テーブルを参照することによって、前記複数の階層に関して共通の前記所在情報を取得する、
ことを特徴とする受信装置。
【請求項２】
前記共通のアプリケーション情報テーブルは、前記複数の階層のうち、低階層で伝送される、
ことを特徴とする請求項１に記載の受信装置。
【請求項３】
階層変調のための複数の階層を含んだ映像アセットを供給する映像供給部と、
階層変調のための複数の階層に共通のデータアセットを供給するデータ供給部と、
伝送のための制御情報を設定する制御情報設定部と、
少なくとも前記映像アセットと前記データアセットと前記制御情報とを含んだ放送信号を生成する多重化部と、
前記多重化部で生成された放送信号を送信する送信部と、
を具備し、
前記制御情報設定部は、前記データアセットに関して、前記複数の階層に共通のアプリケーション情報テーブルに、前記複数の階層間で共有される単一のデータファイルの所在を表す所在情報を格納する、
ことを特徴とする送信装置。
【請求項４】
放送信号を受信する受信部を具備するコンピューターを、
請求項１または２に記載の受信装置として機能させるためのプログラム。
【請求項５】
放送信号を送信する送信部を具備するコンピューターを、
請求項３に記載の送信装置として機能させるためのプログラム。
【発明の詳細な説明】
【技術分野】
【０００１】
本発明は、受信装置、送信装置、およびプログラムに関する。
【背景技術】
【０００２】
映像コンテンツ等を配信する際に、階層変調が用いられる場合がある。階層変調とは、同じ内容のコンテンツを、複数の階層で並行して伝送する方式であり、各階層で伝送される情報量が異なる。例えば、テレビ放送における階層変調では、通常の変調方式（高階層，高解像度）での伝送に加えて、降雨等に強い変調方式（低階層，低解像度）での伝送も並行して行われる。階層変調を用いることにより、降雨あるいは降雪等で電波伝搬状況が悪化しても、受信装置側で低階層側を受信することにより、情報量は少ないものの、必要最小限の情報を受信することが可能となる。
【０００３】
非特許文献１の「７．１  階層変調の運用」（第７−３４ページから）では、ＢＳデジタル放送における階層変調の運用について、規定されている。ＢＳデジタル放送では、高階層で伝送されるのは、高階層映像、高階層音声、データ、ＳＩ（サービス・インフォメーション）である。また、低階層で伝送されるのは、低階層映像、低階層音声、低階層データ、ＰＳＩ（プログラム特定情報）、ＰＣＲ（プログラム・クロック・レファレンス）、ＥＣＭ（エンタイトルメント・コントロール・メッセージ）である。ただし、低階層音声は、高階層音声で兼用される場合がある。また、低階層データには、字幕や文字スーパーを含む。
【０００４】
高度広帯域衛星デジタル放送（ＳＨＶ，スーパーハイビジョン）においても、階層変調が想定される。
非特許文献２の「４．８．１  階層変調の受信」（第２−２０ページから）では、階層変調を受信する受信装置の動作等について規定されている。また、非特許文献２の「７．１．２  階層変調時のＴＬＶストリームの構成」（第７−５８ページから）では、高度広帯域衛星デジタル放送の階層変調において、高階層および低階層で伝送する情報が規定されている。
【０００５】
なお、非特許文献２の「５．２  提示機能」（第３−１３ページから）では、画面プレーンの組み合わせと、組み合わせる画面プレーンの解像度についての制約が記載されている（特に、「表５．４  解像度の組合せ」）。
【先行技術文献】
【非特許文献】
【０００６】
【非特許文献１】「ＢＳ／広帯域ＣＳデジタル放送運用規定  技術資料  ＡＲＩＢ  ＴＲ−Ｂ１５  ６．９版  （第三分冊）」，一般社団法人電波産業会，平成２７年１２月３日，２０１５年．
【非特許文献２】「技術資料  ＮＥＸＴＶＦ  ＴＲ−０００４  高度広帯域衛星デジタル放送  運用規定  １．０版」，一般社団法人次世代放送推進フォーラム，平成２７年１２月２５日，２０１５年
【発明の概要】
【発明が解決しようとする課題】
【０００７】
しかしながら、高度広帯域衛星デジタル放送において階層変調を実現するためには、次のような課題がある。高度広帯域衛星デジタル放送における一つの特徴は、伝送されるコンテンツの名前空間と伝送の空間とを、別の空間として分離していることである。したがって、放送を受信する受信装置が、高度広帯域衛星デジタル放送におけるデータコンテンツを取得するためには、次のような手順で情報を辿る必要がある。
【０００８】
即ち、第１に、受信装置は、受信するサービスを選局する。
そして、第２に、受信装置は、ＭＨ−ＡＩＴ（ＭＨ−アプリケーション情報テーブル）を取得して、そのＭＨ−ＡＩＴ内に記述されているコンテンツ（オートスタートアプリケーション）のＵＲＬ（ユニフォーム・リソース・ロケーター）を取得する。
そして、第３に、受信装置は、ディレクトリ名およびファイル名をＤＤＭＴ（データ・ディレクトリ・マネジメント・テーブル）に引き当てて、ノード・タグ（ｎｏｄｅ＿ｔａｇ）を取得する。
そして、第４に、受信装置は、取得したノードタグをＤＡＭＴ（データ・アセット・マネジメント・テーブル）に引き当てる。これにより、受信装置は、コンポーネント・タグ（ｃｏｍｐｏｎｅｎｔ＿ｔａｇ）とＭＰＵシーケンス番号（ｍｐｕ＿ｓｅｑｕｅｎｃｅ＿ｎｕｍｂｅｒ）とアイテムＩＤ（ｉｔｅｍ＿ｉｄ）を取得する。この３つの識別情報により、受信装置は、目的とするデータを運ぶＭＦＵを引き当てることが可能となる。
また、第５に、受信装置は、アセットグループ記述子から、高階層のＰＩＤ（パケットＩＤ）を取得する。
しかしながら、受信装置には、高階層のＭＰＵシーケンス番号およびアイテムＩＤを取得する手段がない。つまり、受信装置は、高階層のデータコンテンツのＥＳ（エレメンタリー・ストリーム）を取得することができるものの、高階層のＭＰＵシーケンス番号およびアイテムＩＤを取得することができない。
【０００９】
つまり、従来の技術では、受信装置が、高度広帯域衛星デジタル放送における階層変調のデータコンテンツを適切に受信することができない、という問題がある。これは、従来技術において、高階層と低階層の両方のＰＩＤが得られるものの、これら両階層のＭＰＵシーケンス番号およびアイテムＩＤを受信装置に伝達する手段がないためである。つまり、従来の技術では、複数の階層のＭＰＵシーケンス番号およびアイテムＩＤを受信装置に伝達する手段がないことが問題である。
【００１０】
また、データコンテンツや字幕コンテンツや文字スーパーコンテンツについて、複数の階層のデータファイルを、効率の良い伝送方法で受信装置に伝送することも一つの課題である。
【００１１】
本発明は、上記の課題認識に基づいて行なわれたものであり、高度広帯域衛星デジタル放送における階層変調のデータコンテンツ等を適切に伝送することのできる、送信装置、受信装置、およびプログラムを提供しようとするものである。
【課題を解決するための手段】
【００１２】
［１］上記の課題を解決するため、本発明の一態様による受信装置は、放送信号を受信する受信部と、前記放送信号が階層変調されている場合に複数の階層のうちのいずれの階層を受信するかを、受信した前記放送信号に基づいて判定する階層判定部と、前記放送信号から、前記階層判定部によって決定された階層の、少なくとも映像アセットとデータアセットとを抽出する分離部と、前記分離部によって抽出された前記映像アセットをデコードすることによって画像の信号を出力する映像処理部と、前記分離部によって抽出された前記データアセットを処理することによって画像の信号を出力するデータ処理部と、少なくとも、前記映像処理部および前記データ処理部から出力される画像をオーバーレイして画面に提示する提示部と、を具備し、前記受信部は、前記データアセットに関して、前記複数の階層間で共有される単一のデータファイルの実体を含む放送信号を受信するものであり、前記分離部は、前記データアセットに関して、前記複数の階層の間で共通の所在情報に基づいて前記データファイルを抽出するものであり、前記提示部は、前記映像アセットによる画像の解像度よりも前記データアセットによる画像の解像度のほうが高解像である場合には、前記映像アセットによる画像の解像度に合わせて、前記データアセットによる画像の解像度を下げるように当該画像を処理する、ことを特徴とする。
【００１３】
［１］且つ、当該受信装置は、上記の受信装置において、前記分離部は、前記データアセットに関して、前記複数の階層に関して共通のアプリケーション情報テーブルを参照することによって、前記複数の階層に関して共通の前記所在情報を取得する、ことを特徴とする。
［２］また、本発明の一態様は、上記受信装置において、前記共通のアプリケーション情報テーブルは、前記複数の階層のうち、低階層で伝送される、ことを特徴とするものである。
【００１４】
また、参考態様は、上記の受信装置において、前記分離部は、前記放送信号から、さらに、前記階層判定部によって決定された階層の、字幕アセットおよび文字スーパーアセットをも抽出するものであり、前記分離部によって抽出された前記字幕アセットを処理することによって画像の信号を出力する字幕処理部と、前記分離部によって抽出された前記文字スーパーアセットを処理することによって画像の信号を出力する文字スーパー処理部と、をさらに具備し、前記受信部は、前記字幕アセットおよび前記文字スーパーアセットに関して、前記複数の階層間で共有される単一のデータファイルの実体を含む放送信号を受信するものであり、前記分離部は、前記字幕アセットおよび前記文字スーパーアセットの各々について、前記複数の階層用の各々の制御情報に基づいて前記データファイルの所在情報を引き当て、当該所在情報に基づいて前記データファイルを抽出するものであり、前記提示部は、前記映像アセットによる画像の解像度よりも前記字幕アセットによる画像の解像度のほうが高解像である場合には、前記映像アセットによる画像の解像度に合わせて、前記字幕アセットによる画像の解像度を下げるように当該画像を処理してから、前記映像アセットに基づく画像に前記字幕アセットに基づく画像をオーバーレイし、また、前記映像アセットによる画像の解像度よりも前記文字スーパーアセットによる画像の解像度のほうが高解像である場合には、前記映像アセットによる画像の解像度に合わせて、前記文字スーパーアセットによる画像の解像度を下げるように当該画像を処理してから、前記映像アセットに基づく画像に前記文字スーパーアセットに基づく画像をオーバーレイする、ことを特徴とする。
言い換えれば、上記の受信部は、前記字幕アセットおよび前記文字スーパーアセットに関して、前記複数の階層の間で同一のデータファイルの実体を含む放送信号を受信するものである。
【００１５】
［３］また、本発明の一態様による送信装置は、階層変調のための複数の階層を含んだ映像アセットを供給する映像供給部と、階層変調のための複数の階層を含んだデータアセットを供給するデータ供給部と、伝送のための制御情報を設定する制御情報設定部と、少なくとも前記映像アセットと前記データアセットと前記制御情報とを含んだ放送信号を生成する多重化部と、前記多重化部で生成された放送信号を送信する送信部と、を具備し、前記制御情報設定部は、前記データアセットに関して、前記複数の階層に共通のアプリケーション情報テーブルに、前記複数の階層に共通のデータファイルの所在を表す所在情報を格納する、ことを特徴とする。
【００１６】
また、参考態様は、上記の送信装置において、階層変調のための複数の階層に共通の字幕アセットを供給する字幕供給部と、階層変調のための複数の階層に共通の文字スーパーアセットを供給する文字スーパー供給部と、を具備し、前記多重化部は、さらに前記字幕アセットおよび前記文字スーパーアセットを含んだ前記放送信号を生成し、前記制御情報設定部は、前記字幕アセットに関して、前記複数の階層間で共有される単一のデータファイルの所在を表す字幕所在情報を設定するとともに、前記文字スーパーアセットに関して、前記複数の階層間で共有される単一のデータファイルの所在を表す文字スーパー所在情報を設定する、ことを特徴とする。
言い換えれば、上記の制御情報設定部は、前記字幕アセットに関して、前記複数の階層に共通のデータファイルの所在を表す字幕所在情報を設定するとともに、前記文字スーパーアセットに関して、前記複数の階層に共通のデータファイルの所在を表す文字スーパー所在情報を設定する。
【００１７】
［４］また、本発明の一態様は、放送信号を受信する受信部を具備するコンピューターを、上の［１］または［２］に記載の受信装置として機能させるためのプログラムである。
［５］また、本発明の一態様は、放送信号を送信する送信部を具備するコンピューターを、上の［３］に記載の送信装置として機能させるためのプログラムである。
【発明の効果】
【００１８】
本発明によれば、高度広帯域衛星デジタル放送における階層変調のデータコンテンツ等を適切に伝送することができるようになる。また、複数の階層のデータファイルを共用化する場合には、伝送帯域の効率的な利用が図れるようになる。
【図面の簡単な説明】
【００１９】
【図１】本発明の第１実施形態による放送システムの構成を示す概略構成図である。
【図２】同実施形態による受信装置の概略機能構成を示すブロック図である。
【図３】同実施形態による階層変調による放送信号の構成を分類して表として示した概略図である。
【図４】同実施形態による受信装置が受信する放送信号に含まれる制御情報の一部の構成を示す概略図である。
【図５】同実施形態で用いるＭＭＴＰ（ＭＭＴプロトコル）のパケットの構成を示す概略図である。
【図６】同実施形態によるＡＩＴ内のファイル名から、当該ファイルの実体に到達するまでの制御情報の関係を表す概略図である。
【図７】同実施形態による、高階層受信時と低階層受信時の、映像アセットと他のアセットの画面提示のしかたを示す概略図である。
【図８】同実施形態による、映像コンテンツの解像度と、その他のコンテンツとしての解像度との、組み合わせのパターンを示す概略図である。
【図９】同実施形態による送信装置の概略機能構成を示すブロック図である。
【図１０】第２実施形態による放送システムの構成を示す概略構成図である。
【図１１】同実施形態による受信装置の概略機能構成を示すブロック図である。
【図１２】同実施形態によるＭＨ−伝送プロトコル記述子におけるプロトコル識別の値とその意味の定義の例を示す概略図である。
【図１３】同実施形態による送信装置の概略機能構成を示すブロック図である。
【発明を実施するための形態】
【００２０】
以下では、図面を参照しながら、本発明の実施形態について説明する。
【００２１】
［第１実施形態］
図１は、本実施形態による放送システムの構成を示す概略構成図である。同図において、符号１は、放送システムである。そして、放送システム１は、送信装置３と、放送衛星５と、受信装置７とを含んで構成される。
【００２２】
送信装置３は、映像や音声や字幕や文字スーパーやデータコンテンツを含んだ放送信号を出力する。この放送信号は、放送衛星５に向けて送信される。
放送衛星５は、電波による放送信号を送受信する人工衛星である。送信装置３から出力され地球局から送信（アップリンク）される信号を受信し、その信号を、地球上の受信装置７に向けて送信（ダウンリンク）する。
受信装置７は、放送衛星５から送信される放送信号を受信し、受信した放送信号に含まれるコンテンツ（映像や音声や字幕や文字スーパーやデータ）を復調して、ユーザーに提示する。
【００２３】
なお、本実施形態では、放送信号は、高度広帯域衛星デジタル放送の信号である。また、その放送信号はＭＭＴ（MPEG Media Transport）方式により伝送される。つまり、放送サービスを構成するアセット（映像、音声、データ、字幕等）のペイロードは、ＭＭＴ方式により、ＭＰＵ／ＭＦＵの構成で伝送される。ここで、ＭＰＵは「Media Processing Unit」（メディア・プロセシング・ユニット）の略である。また、ＭＦＵは「Media Fragment Unit」（メディア・フラグメント・ユニット）の略である。
【００２４】
なお、図１では、送信装置と放送衛星と受信装置とをそれぞれ１台ずつ示したが、放送信号を受信する受信装置は、複数存在していてもよい。例えば、受信装置が、数千万台あるいはそれ以上存在していてもよい。
また、図１では、放送衛星経由で送信される放送信号を受信装置が受信する場合を示したが、地上波（無線）やケーブルにより放送信号を伝送するようにしてもよい。
【００２５】
図２は、本実施形態における受信装置の概略機能構成を示すブロック図である。同図に示すように、受信装置７は、受信部２１と、階層判定部２３と、分離部２５と、映像処理部２７と、音声処理部２９と、データ処理部３１と、字幕処理部３３と、文字スーパー処理部３５と、提示部３７と、を含んで構成される。
【００２６】
受信部２１は、放送信号を受信し、復調する。また、受信部２１は、制御情報を参照することによって、受信中のサービスが階層変調されているか否かを判定する。階層変調されている場合には、受信すべき（抽出すべき）階層を決定するために、受信した放送信号を、階層判定部２３に、渡す。また、受信部２１は、階層判定部２３の判定結果（高階層か低階層か）を取得し、その判定結果にしたがって、以後、いずれかの階層を受信する。
なお、階層判定を所定の時間間隔ごとに行うようにしてよい。これにより、放送信号の受信状況に応じて、適宜、高階層から低階層へ、あるいは逆に低階層から高階層へと切り替えることができる。
なお、本実施形態における受信部２１は、少なくともデータアセットに関して、複数の階層の間で同一のデータファイルの実体を含んだ放送信号を受信する。また、字幕アセットや文字スーパーアセットに関しても、同様に、複数の階層の間で同一のデータファイルの実体を含んだ放送信号を受信するようにしても良い。なお、ここで「同一のデータファイル」とは、ファイルとして全く同一のデータを指すものであり、データの一部のみが共通である複数のファイルを指すものではない。
【００２７】
階層判定部２３は、受信部２１が受信した放送信号に基づいて、受信中のサービスが階層変調されている場合には、高階層と低階層のどちらを受信するべきであるかを判定する。具体的には、階層判定部２３は、高階層の信号のエラーレートを監視し、エラーレートが所定の閾値以上であるか否かを判定する。このエラーレートが閾値以上である場合には、階層判定部２３は、低階層を受信することを決定する。逆に、このエラーレートが閾値未満である場合には、階層判定部２３は、高階層を受信することを決定する。階層判定部２３は、この判定結果（高階層か低階層のいずれを受信すべきであるか）を、受信部２１に通知する。
【００２８】
分離部２５は、映像アセットや音声アセットやデータアセットや字幕アセットや文字スーパーアセットを、それぞれ抽出する。受信した放送信号が階層変調されている場合には、分離部２５は、階層判定部２４によって決定された階層の、各アセットのデータを抽出する。なお、分離部２５は、データアセットに関しては、複数の階層に関して共通の制御情報に基づいて、データファイルの所在情報を引き当てるものである。具体的には、分離部２５は、データアセットに関しては、高階層あるいは低階層のいずれの階層を受信する場合にも、同一のアプリケーション情報テーブル内の、両階層に共通の情報として格納されたパス名の情報を取得する。そして、分離部２５は、取得したそのパス名に基づいて、データファイルの所在を引き当てる。データアセットに関する制御情報については、後でも説明する。
【００２９】
映像処理部２７は、分離部２５によって抽出された映像アセットを処理（デコード等）して、その結果得られる映像（画像）を、提示部３７に出力する。
音声処理部２９は、分離部２５によって抽出された音声アセットを処理（デコード等）して、その結果得られる音声を、提示部３７に出力する。
データ処理部３１は、分離部２５によって抽出されたデータアセットを処理して、その結果得られる画像等を、提示部３７に出力する。
字幕処理部３３は、分離部２５によって抽出された字幕アセットを処理して、その結果得られる映像（画像）を、提示部３７に出力する。
文字スーパー処理部３５は、分離部２５によって抽出された文字スーパーアセットを処理して、その結果得られる映像（画像）を、提示部３７に出力する。
【００３０】
提示部３７は、映像処理部２７と音声処理部２９とデータ処理部３１と字幕処理部３３と文字スーパー処理部３５とを合成して、映像および音声として出力する。このとき、提示部３７は、各部から供給される映像（または画像）をオーバーレイして１枚の画面として出力する。
【００３１】
なお、提示部３７は、映像アセットによる画像の解像度よりもデータアセットによる画像の解像度のほうが高解像である場合には、映像アセットによる画像の解像度に合わせて、データアセットによる画像の解像度を下げるように当該画像を処理してから、映像アセットに基づく画像とデータアセットに基づく画像とをオーバーレイする。また、提示部３７は、映像アセットによる画像の解像度よりも字幕アセットによる画像の解像度のほうが高解像である場合には、映像アセットによる画像の解像度に合わせて、字幕アセットによる画像の解像度を下げるように当該画像を処理してから、映像アセットに基づく画像に字幕アセットに基づく画像をオーバーレイする。また、提示部３７は、映像アセットによる画像の解像度よりも文字スーパーアセットによる画像の解像度のほうが高解像である場合には、映像アセットによる画像の解像度に合わせて、文字スーパーアセットによる画像の解像度を下げるように当該画像を処理してから、映像アセットに基づく画像に文字スーパーアセットに基づく画像をオーバーレイする。なお、提示部３７が画像の解像度を変更する処理（画像の拡大や縮小）については、後で詳述する。
【００３２】
図３は、受信装置７が受信する、階層変調による放送信号の構成を分類して表として示した概略図である。同図では、高階層および低階層で伝送するサービス横断的な制御情報（Ａ）と、階層変調を行うサービスの、高階層／低階層で伝送するアセット、制御情報の例（Ｂ）とに区分けして、各種情報を示している。
【００３３】
同図（Ａ）の中では、低階層で伝送されるものは、ＴＬＶ−ＮＩＴ、ＡＭＴや、ＰＡメッセージ（ＰＬＴ）や、ＣＡメッセージ（ＣＡＳがある場合）や、ＮＴＰといった情報である。なお、ＴＬＶは「Type Length Value」の略である。また、ＮＩＴは「Network Information Table」の略である。また、ＡＭＴは「Address Map Table」の略である。また、ＰＡは「Package Access」の略である。また、ＰＬＴは「Package List Table」の略である。また、ＣＡは「Conditional Access」（限定受信）の略である。また、ＣＡＳは「Conditional Access System」の略である。また、ＮＴＰは「Network Time Protocol」の略である。
ＴＬＶ−ＮＩＴおよびＡＭＴは、ＴＬＶ−ＳＩとして規定されるテーブルの一種である。ＴＬＶ−ＮＩＴおよびＡＭＴは、放送ネットワークの構成、特性を示す情報を含んでいる。ＰＡメッセージは、ＭＭＴ−ＳＩとして規定されるメッセージのひとつで、すべてのテーブルを含むことができるメッセージである。つまり、ＰＡメッセージは、ＭＭＴ制御メッセージのエントリーポイントとなる。ＣＡメッセージは、限定受信方式に関する情報を伝送するメッセージである。ＮＴＰは、時刻情報（現在時刻）を伝送するためのプロトコルである。
なお、ＳＩは「Signaling Information」の略である。
【００３４】
同図（Ａ）の中で、高階層で伝送されるものは、ＭＭＴ−ＳＩ（ただし、低階層の情報として列挙した者以外）と、ＥＭＭ（ただし、ＣＡＳがある場合）である。
ＭＭＴ−ＳＩは、ＭＭＴパッケージの構成を示す伝送制御信号である。ＥＭＭは「Entitlement Management Message」の略である。ＥＭＭは、ＣＡＳにおける契約情報等を伝送するものである。
【００３５】
同図（Ｂ）の中で、低階層で伝送されるものは、低階層映像、低階層音声、低階層データコンテンツ、低階層字幕、ＰＡメッセージ（ＭＰＴ）、ＥＣＭ（ＣＡＳがある場合）、データ伝送メッセージ、ＭＨ−ＡIＴ、ＥＭＴである。なお、ＭＰＴは、「MMT Package Table」の略である。また、ＥＣＭは、「Entitlement Control Message」の略である。また、ＡＩＴは、「Application Information Table」の略である。
同図（Ｂ）の中で、高階層で伝送され得るものは、高階層映像、高階層音声、データコンテンツ、字幕である。これらの各々について、高階層で伝送するようにしてもよい。
なお、データコンテンツおよび字幕に関して、本実施形態における低階層のコンテンツと高階層のコンテンツの具体的な構成のしかたについては、後で詳述する。
【００３６】
本実施形態では、データアセットに関して、高階層のファイルと低階層のファイルを共通のものとする。したがって、受信装置７は、高階層の受信中であっても低階層の受信中であっても、以下において説明する制御情報に基づいて、データファイルを取得することができる。
【００３７】
図４は、受信装置７が受信する放送信号に含まれる制御情報の一部の構成を示す概略図である。同図に沿って、受信装置７がデータアセットのファイル実体に到達するまでの制御情報の関係について説明する。受信装置７における受信部２１は、視聴者の操作等によって、ある特定のサービスを選局する。そして、受信部２１は、そのサービスのＭＰＴを取得する。ＭＰＴのアセットグループ記述子内には、そのサービスが階層変調されているか否かを示す情報が含まれている。また、ＭＰＴ内の伝送識別情報内には、アセットＩＤ（asset_id）とコンポーネントタグ（component_tag）とパケットＩＤ（packet_id）とが互いに対応付けられて格納されている。つまり、ＭＰＴ内に、アセットＩＤとコンポーネントタグと、パケットＩＤとの関係が定義されている。
【００３８】
また、ＭＰＴのアプリケーションサービス記述子内には、ＡＩＴ伝送情報とデータ伝送メッセージ伝送情報とが含まれている。ＡＩＴ伝送情報に基づいて、ＡＩＴを引き当てることが可能である。データ伝送メッセージ伝送情報に基づいて、データ伝送メッセージを引き当てることが可能である。
ＡＩＴ内には、ＨＭＴＬ（ハイパーテキストマークアップ言語）で記述されたアプリケーション（ＨＴＭＬファイル）の所在を示すＵＲＬ（ユニフォーム・リソース・ロケーター）の情報が含まれている。ＵＲＬは、アプリケーションファイルの、ディレクトリ名とファイル名の情報を含んでいる。
【００３９】
データ伝送メッセージ内には、ＤＤＭＴとＤＣＣＴとＤＡＭＴとが含まれている。
ＤＤＭＴ（データディレクトリ管理テーブル）は、ノードタグ情報として、木構造のディレクトリおよびファイルと、それらに対応するノードタグ（node_tag）とを関連付けて保持している。ノードタグは、ディレクトリ（ただし、直下にファイルを有するディレクトリ）とファイルのそれぞれにユニークな値である。
ＤＣＣＴは、ＰＵ情報を含んでいる。ＰＵ情報とは、ＰＵに含まれているＭＰＵの情報である。ＰＵ情報内において、ＰＵタグ（PU_tag）に関連付けて、１つ以上のＭＰＵＩＤ（mpu_id）が格納されている。なお、ＭＰＵＩＤは、ＭＰＵシーケンス番号（mpu_sequence_number)の上位１６ビットの情報である。
ＤＡＭＴ（データアセット管理テーブル）は、アイテム（ファイル）伝送情報を含んでいる。アイテム伝送情報は、コンポーネントタグ（component_tag）およびダウンロードＩＤ（download_id）の組み合わせに対応付けて、ＭＰＵシーケンス番号と、ファイル単位のノードタグとアイテムＩＤとアイテムバージョンとの対応関係を、保持している。なお、ＭＰＵがディレクトリ単位の場合には、該当するディレクトリのノードタグが記述される。
【００４０】
このように制御情報が構成されていることにより、ＡＩＴ内に含まれるディレクトリ名およびファイル名から、ＤＤＭＴを参照することによって、それらのディレクトリおよびファイルをユニークに識別することのできるノードタグを取得できる。さらに、取得されたノードタグから、ＤＡＭＴを参照することによって、コンポーネントタグ（component_tag）とＭＰＵシーケンス番号（mpu_sequence_number）とアイテムＩＤ（item_id）とを取得できる。これにより、目的とするファイル等の実体を格納しているＭＦＵを引き当てることができる。
【００４１】
以上、説明したように、高階層のデータコンテンツと低階層のデータコンテンツとは共用されている。したがって、データコンテンツに関して、伝送帯域を効率的に利用することができる。
【００４２】
図５は、ＭＭＴＰ（ＭＭＴプロトコル）のパケットの構成を示す概略図である。図示するように、パケットは、ヘッダーとペイロードとで構成される。
ヘッダーの一部分は拡張ヘッダーである。ヘッダー内の、拡張ヘッダーではない領域には、パケットＩＤ（packet_id）が含まれる。また、拡張ヘッダー内には、ダウンロードＩＤが含まれる。
ペイロードは、ヘッダーとボディとで構成される。このヘッダー内には、ＭＰＵシーケンス番号（mpu_sequence_number）が含まれている。また、このボディ内には、アイテムＩＤ（item_id）とファイル実態とが含まれている。
【００４３】
図６は、ＡＩＴ内のファイル名から、当該ファイルの実体に到達するまでの制御情報の関係を表す概略図である。ＡＩＴ内のファイル名（同図中でのfileName）に基づいて、ＤＤＭＴを参照することにより、そのファイルのノードタグを引き当てることができる。また、そのノードタグに基づいて、ＤＡＭＴを参照することにより、そのファイルの、コンポーネントタグと、ダウンロードＩＤと、アイテムＩＤとを引き当てることができる。また、取得されたコンポーネントタグに基づいて、ＭＰＴ内の伝送識別情報を参照することにより、そのコンポーネントタグに対応するパケットＩＤを引き当てることができる。これらにより、元のファイル名に対応する３種類の識別情報、即ち、パケットＩＤとダウンロードＩＤとアイテムＩＤとが得られている。これら３種類の識別情報により、受信装置７は、図５にも示した、アセットのファイル実体を取得することが可能となる。
【００４４】
以上、図４，図５，図６を参照しながら、データアセットのファイル実体の伝送のしかたと、それに関連する制御情報について説明した。
なお、字幕アセットおよび文字スーパーアセットについて、同様に、階層間でデータファイルの実体を共通のものとして伝送してもよい。その場合、字幕アセットおよび文字スーパーアセットのそれぞれに関して、アセットを構成するデータファイルの実体を、高階層と低階層との間で共用とする。また、それらのデータファイルを受信装置７側で引き当てるための制御情報として、高階層用と低階層用のそれぞれに、共通の情報を格納する。
これにより、データアセットと同様に、字幕アセットや文字スーパーアセットについても、伝送するデータファイルの実体の伝送量を削減することができる。字幕アセットや文字スーパーアセットに関しては、データファイルの実体のうちの大きな部分をテキストデータが占める。したがって、階層間でデータファイルを共通のものとすることにより、受信装置側での提示の質に大きな影響を与えることなく、伝送効率を向上させることが可能となる。つまり、提示の質には若干の影響が生じるとしても、必要最低限の情報を伝えるという縮小運用を可能とする。
【００４５】
なお、データアセットに関しては、単一のデータファイルの実体が伝送され、複数の階層間でそのデータファイルが共有される。このとき、ＭＰＴ内におけるデータアセットの定義として、アセットグループ記述子を用いて、それら複数の階層の各々を記述してもよい。このとき一つのアセット（データアセット）に、上記の複数の階層が関連付けられる。また、逆に、ＭＰＴ内におけるデータアセットの定義として、アセットグループ記述子を用いないようにしてもよい。
また、字幕アセットに関して、データファイルの実体が伝送され、複数の階層間でそのデータファイルを共有するようにしてもよい。このような共有を行う場合、ＭＰＴ内における字幕アセットの定義として、アセットグループ記述子を用いて、それら複数の階層の各々を記述してもよい。このとき一つのアセット（字幕アセット）に、上記の複数の階層が関連付けられる。また、逆に、ＭＰＴ内における字幕アセットの定義として、アセットグループ記述子を用いないようにしてもよい。
また、文字スーパーアセットに関して、データファイルの実体が伝送され、複数の階層間でそのデータファイルを共有するようにしてもよい。このような共有を行う場合、ＭＰＴ内における文字スーパーアセットの定義として、アセットグループ記述子を用いて、それら複数の階層の各々を記述してもよい。このとき一つのアセット（文字スーパーアセット）に、上記の複数の階層が関連付けられる。また、逆に、ＭＰＴ内における文字スーパーアセットの定義として、アセットグループ記述子を用いないようにしてもよい。
【００４６】
図７は、高階層受信時と低階層受信時の、映像アセットと他のアセットの画面提示のしかたを示す概略図である。同図（ａ）は、データコンテンツと映像とをオーバーレイして提示する場合を示す。また、同図（ｂ）は、字幕コンテンツと映像とをオーバーレイして提示する場合を示す。
【００４７】
同図（ａ）に示す例では、映像アセットは、高階層においては８Ｋ（水平７６８０画素×垂直４３２０画素）の解像度で伝送され、低階層においては２Ｋ（水平１９２０画素×垂直１０８０画素）の解像度で伝送される。一方、データアセット（データコンテンツ）は、高階層においても低階層においても、８Ｋ（水平７６８０画素×垂直４３２０画素）の解像度で提示するためのデータとして伝送される。前述の通り、高階層におけるデータコンテンツと低階層におけるデータコンテンツは、同一のファイルとして伝送される。この場合、受信装置７の提示部３７は、映像処理部２７から出力される解像度情報と、データ処理部３１から出力される解像度情報とに基づいて、映像とデータとの提示サイズを適切に調整する。
具体的には次の通りである。受信装置７が高階層を受信している場合、提示部３７は、高階層映像（解像度は８Ｋ）とデータコンテンツ（解像度８Ｋ）とを単純にオーバーレイする。つまり、映像の解像度とデータコンテンツの解像度とかいずれも８Ｋで一致しているため、提示部３７は映像とデータのいずれかを拡大したり縮小したりする必要はない。
そして、受信装置７が低階層を受信している場合、提示部３７は、データコンテンツ（解像度８Ｋ）を２Ｋの解像度に縮小してから、低階層映像（解像度は２Ｋ）とオーバーレイする。つまり、映像の解像度である２Ｋに合わせるため、提示部３７は、本来は８Ｋの解像度で表示されるように制作されたデータコンテンツを、２Ｋの解像度に縮小する。
【００４８】
同図（ｂ）に示す例では、映像アセットは、高階層においては８Ｋ（水平７６８０画素×垂直４３２０画素）の解像度で伝送され、低階層においては２Ｋ（水平１９２０画素×垂直１０８０画素）の解像度で伝送される。一方、字幕アセット（字幕コンテンツ）は、高階層においても低階層においても、４Ｋ（水平３８４０画素×垂直２１６０画素）の解像度で提示するための字幕として伝送される。前述の通り、高階層における字幕コンテンツと低階層における字幕コンテンツは、同一のファイルとして、即ち単一のファイル実体として、伝送されている。この場合、受信装置７の提示部３７は、映像処理部２７から出力される解像度情報と、字幕処理部３３から出力される解像度情報とに基づいて、映像と字幕との提示サイズを適切に調整する。
具体的には次の通りである。受信装置７が高階層を受信している場合、提示部３７は、字幕コンテンツ（解像度４Ｋ）を８Ｋの解像度に拡大してから、高階層映像（解像度は８Ｋ）とオーバーレイする。つまり、映像の解像度である８Ｋに合わせるため、提示部３７は、本来は４Ｋの解像度で表示されるように制作された字幕コンテンツを、８Ｋの解像度に拡大する。
そして、受信装置７が低階層を受信している場合、提示部３７は、字幕コンテンツ（解像度４Ｋ）を２Ｋの解像度に縮小してから、低階層映像（解像度は２Ｋ）とオーバーレイする。つまり、映像の解像度である２Ｋに合わせるため、提示部３７は、本来は４Ｋの解像度で表示されるように制作された字幕コンテンツを、２Ｋの解像度に縮小する。
【００４９】
つまり提示部３７は、データコンテンツ、字幕コンテンツ、文字スーパーコンテンツの解像度を、映像の解像度に合わせるように、必要に応じて拡大または縮小の処理を行う。
解像度の拡大や縮小自体の処理は、既存の技術により行える。
【００５０】
図８は、本実施形態における、映像コンテンツ（本線映像）の解像度と、その他のコンテンツ（画像等として画面に表示されるコンテンツ）の解像度との、組み合わせのパターンを示す概略図である。同図に示すマトリックスにおいて、縦方向（行方向）は、映像コンテンツの解像度のバリエーションを表す。また横方向（列方向）は、映像以外のコンテンツの種類および各コンテンツの解像度のバリエーションを表す。また、マトリックス内において、丸印は、それらの解像度（行および列）の組み合わせが許容されることを表す。同マトリックス内において、無印は、それらの解像度（行および列）の組み合わせが許容されない（そのような組み合わせでのコンテンツが、送信装置３側から送信されない）ことを表す。映像コンテンツの解像度に関して、第１行目は８Ｋ（水平７６８０画素×垂直４３２０画素）、第２行目は４Ｋ（水平３８４０画素×垂直２１６０画素）、第３行目は２Ｋ（水平１９２０画素×垂直１０８０画素）に対応する。列方向において、第１列から第３列までは、データコンテンツ（ＨＴＭＬ文書）の解像度に対応する。第１列目は８Ｋ（水平７６８０画素×垂直４３２０画素）、第２列目は４Ｋ（水平３８４０画素×垂直２１６０画素）、第３列目は２Ｋ（水平１９２０画素×垂直１０８０画素）に対応する。
また、第４列および第５列は、字幕コンテンツおよび文字スーパーコンテンツの解像度に対応する。第４列目は４Ｋ（水平３８４０画素×垂直２１６０画素）、第５列目は２Ｋ（水平１９２０画素×垂直１０８０画素）に対応する。
【００５１】
同図に示すように、映像コンテンツの解像度とデータコンテンツの解像度として許容される組み合わせは、次の７通りである。
（１）映像コンテンツの解像度が８Ｋで、データコンテンツの解像度が８Ｋ
（２）映像コンテンツの解像度が８Ｋで、データコンテンツの解像度が４Ｋ
（３）映像コンテンツの解像度が４Ｋで、データコンテンツの解像度が４Ｋ
（４）映像コンテンツの解像度が４Ｋで、データコンテンツの解像度が２Ｋ
（５）映像コンテンツの解像度が２Ｋで、データコンテンツの解像度が８Ｋ
（６）映像コンテンツの解像度が２Ｋで、データコンテンツの解像度が４Ｋ
（７）映像コンテンツの解像度が２Ｋで、データコンテンツの解像度が２Ｋ
なお、上記の７通りの組み合わせ以外は、許容されない。
【００５２】
また、同図に示すように、映像コンテンツの解像度と字幕コンテンツまたは文字スーパーコンテンツの解像度として許容される組み合わせは、次の５通りである。
（８）映像コンテンツの解像度が８Ｋで、字幕または文字スーパーの解像度が４Ｋ
（９）映像コンテンツの解像度が４Ｋで、字幕または文字スーパーの解像度が４Ｋ
（１０）映像コンテンツの解像度が４Ｋで、字幕または文字スーパーの解像度が２Ｋ
（１１）映像コンテンツの解像度が２Ｋで、字幕または文字スーパーの解像度が４Ｋ
（１２）映像コンテンツの解像度が２Ｋで、字幕または文字スーパーの解像度が２Ｋ
なお、上記の５通りの組み合わせ以外は、許容されない。
【００５３】
以上説明した解像度の組み合わせによる放送信号を、送信装置３は送信する。また、受信装置７は、その放送信号を受信して処理する。
【００５４】
従来技術においても、データコンテンツや字幕コンテンツや文字スーパーコンテンツなどの解像度を、映像コンテンツの解像度に合わせてオーバーレイすることは許容されていた。しかしながら、従来技術においても、映像コンテンツの解像度に合わせるために、データコンテンツや字幕コンテンツや文字スーパーコンテンツなどの解像度を小さくする方向に変更することは許容されていなかった。
【００５５】
文献「技術資料  ＮＥＸＴＶＦ  ＴＲ−０００４  高度広帯域衛星デジタル放送  運用規定  １．０版」，一般社団法人次世代放送推進フォーラム，平成２７年１２月２５日，２０１５年（非特許文献２）の第３−１６ページの「表５．４  解像度の組合せ」には、組み合わせる画面プレーンの解像度についての制約が記載されている。この表においても、本線映像の解像度が２Ｋ（１９２０×１０８０）の場合に、データコンテンツ（ＨＴＭＬ文書）の解像度を４Ｋ（３８４０×２１６０）あるいは８Ｋ（７６８０×４３２０）とする組み合わせは許容されていない。また、同表において、本線映像の解像度が２Ｋ（１９２０×１０８０）の場合に、字幕あるいは文字スーパーの解像度を４Ｋ（３８４０×２１６０）とすることは許容されていない。
【００５６】
その理由は、データコンテンツや字幕や文字スーパーの提示の解像度を、本来制作者によって意図された解像度よりも小さくするような変更は、画像としての情報の損失を伴い、好ましくないためであった。例えば、１画素の幅を有する水平または垂直な直線は、解像度を二分の一、あるいは四分の一にしたときに、消滅することが考えられる。あるいは、そのように解像度を小さくする方向に変更したときに、直線が消滅するか否かが、受信装置の実装に依存してしまうことが考えられる。
【００５７】
本実施形態は、データコンテンツや、字幕コンテンツや、文字スーパーコンテンツの解像度を、受信装置側において小さくする方向に変更することを許容している。具体的には、送信装置３は、特に低階層において、映像コンテンツの解像度よりも高い解像度を有する、データコンテンツや字幕コンテンツや文字スーパーコンテンツの信号を送信する。受信装置７は、その放送信号を受信し、低階層によるコンテンツを提示する際には、データコンテンツや、字幕コンテンツや、文字スーパーコンテンツを縮小する（即ち、解像度を小さくするように変更する）。
【００５８】
なお、図８に示した解像度の数値自体は一例であり、これら例示した数値と異なる解像度を用いてもよい。本実施形態の一つのポイントは、データコンテンツや字幕コンテンツや文字スーパーコンテンツにおいて、伝送されるデータファイルの実体を複数の階層間で共用することである。また、他のポイントは、映像の解像度よりも高い解像度を有するデータコンテンツや字幕コンテンツや文字スーパーコンテンツをも許容し、適宜、拡大／縮小して映像コンテンツとオーバーレイさせることである。
【００５９】
図９は、本実施形態における送信装置の概略機能構成を示すブロック図である。同図に示すように、送信装置３は、映像供給部５１と、音声供給部５３と、データ供給部５５と、字幕供給部５７と、文字スーパー供給部５９と、多重化部６１と、送信部６３と、制御情報設定部６５と、を含んで構成される。
【００６０】
映像供給部５１は、階層変調のための複数の階層を含んだ映像アセットを供給する。
音声供給部５３は、階層変調のための複数の階層を含んだ音声アセットを供給する。
データ供給部５５は、階層変調のための複数の階層を含んだデータアセットを供給する。
字幕供給部５７は、階層変調のための複数の階層を含んだ字幕アセットを供給する。
文字スーパー供給部５９は、階層変調のための複数の階層を含んだ文字スーパーアセットを供給する。
【００６１】
多重化部６１は、少なくとも映像アセットとデータアセットと制御情報とを含んだ放送信号を生成する。多重化部６１は、さらに、音声アセットや、字幕アセットや、文字スーパーアセットをも含んだ放送信号を生成する。
【００６２】
送信部６３は、多重化部６１で生成された放送信号を送信する。なお、送信部６３は、高度広帯域衛星デジタル放送の放送信号をＭＭＴ方式で送信する。
【００６３】
制御情報設定部６５は、伝送のための制御情報を設定する。なお、前記制御情報設定部６５は、データアセットに関して、複数の階層に共通のアプリケーション情報テーブルに、複数の階層に共通のデータファイルの所在を表す所在情報を格納する。
さらに、制御情報設定部６５は、字幕アセットに関して、複数の階層間で同一のデータファイルを共有する場合には、それら複数の階層のそれぞれに共通のデータファイルの所在を表す字幕所在情報を設定する。
さらに、制御情報設定部６５は、文字スーパーアセットに関して、複数の階層間で同一のデータファイルを共有する場合には、それら複数の階層のそれぞれに共通のデータファイルの所在を表す文字スーパー所在情報を設定する。
【００６４】
以上、説明したように、本実施形態における各アセットの伝送のしかたは、次の通りである。
データアセットに関しては、単一のデータファイルの実体を伝送する。そして、データアセットに関して、複数の階層は、その単一のデータファイルを共有する。
字幕アセットに関しては、複数の階層間で同一のデータファイルの実体を共有するようにしてもよいし、このような共有を行わずに各階層のデータファイルの実体を伝送するようにしてもよい。
文字スーパーアセットに関しては、複数の階層間で同一のデータファイルの実体を共有するようにしてもよいし、このような共有を行わずに各階層のデータファイルの実体を伝送するようにしてもよい。
なお、字幕アセットに関して複数の階層間で同一のデータファイルの実体を共有するか否かと、文字スーパーアセットに関して複数の階層間で同一のデータファイルの実体を共有するか否かとは、互いに独立である。字幕アセットと文字スーパーアセットのそれぞれについて、共有するか否かを決めて実施することができる。
【００６５】
［第２実施形態］
次に、第２実施形態について説明する。なお、前実施形態と共通の事項については、記載を省略する場合がある。以下においては、本実施形態に特有の事項を中心として説明する。
図１０は、本実施形態による放送システムの構成を示す概略構成図である。同図において、符号２は、放送システムである。そして、放送システム２は、送信装置４と、放送衛星６と、受信装置８とを含んで構成される。放送システム２は、前実施形態における放送システム１と類似の構成を有する。しかし、放送システム２では、データコンテンツや字幕コンテンツや文字スーパーコンテンツ等の階層変調の方式が、放送システム１のそれと異なる。その相違に伴って、送信装置４の機能の一部は送信装置３のそれと異なり、また、受信装置８の機能の一部は受信装置７のそれと異なる。
【００６６】
送信装置４は、前実施形態における送信装置３と同様に、映像や音声や字幕や文字スーパーやデータコンテンツを含んだ放送信号を出力する。
放送衛星６は、前実施形態における放送衛星５と同様に、電波による放送信号を送受信する。
受信装置８は、前実施形態における受信装置７と同様に、放送衛星５から送信される放送信号を受信する。
なお、本実施形態においても、図１０では１台の受信装置８のみを示しているが、実際には複数の受信装置８が存在する。
また、図１０では、放送衛星経由で送信される放送信号を受信装置が受信する場合を示したが、地上波（無線）やケーブルにより放送信号を伝送するようにしてもよい。
【００６７】
本実施形態では、送信装置４は、低階層用のデータコンテンツと高階層用のデータコンテンツとを送信する。また、階層ごとに、その階層のデータコンテンツに特有のＵＲＬが定義される。受信装置８は、受信する階層を決定し、決定された階層に対応するＵＲＬに基づいて、その階層のデータコンテンツの実体を引き当てる。なお、階層ごとのデータコンテンツの引き当て方の詳細については、後述する。
【００６８】
図１１は、本実施形態における受信装置の概略機能構成を示すブロック図である。同図に示すように、受信装置８は、受信部２２と、階層判定部２４と、分離部２６と、映像処理部２８と、音声処理部３０と、データ処理部３２と、字幕処理部３４と、文字スーパー処理部３６と、提示部３８と、を含んで構成される。
【００６９】
受信部２２は、放送信号を受信する。
階層判定部２４は、受信された放送信号が階層変調されている場合に複数の階層のうちのいずれの階層を受信するかを、受信した放送信号に基づいて判定する。
【００７０】
分離部２６は、受信した放送信号から、階層判定部２４によって決定された階層の、少なくとも映像アセットとデータアセットとを抽出する。また、分離部２６は、さらに、放送信号から、階層判定部２４によって決定された階層の、音声アセットや字幕アセットや文字スーパーアセットを抽出する。
また、分離部２６は、データアセットに関して、所定のテーブル（例えば、アプリケーション情報テーブル）内に格納されている複数の階層の各々の所在情報（例えば、ベースディレクトリ名）のうち、階層判定部２４によって決定された階層の所在情報に基づいて、データファイルを抽出するものである。なお、各階層の所在情報（例えば、ベースディレクトリ名）が格納されている場所は、例えば、アプリケーション情報テーブル内のＭＨ−伝送プロトコル記述子内である。
また、分離部２６が、字幕アセットおよび文字スーパーアセットについても同様に、各アセットに関して、所定のテーブル内に格納されている複数の階層の各々の所在情報（例えば、ベースディレクトリ名）のうち、階層判定部２４によって決定された階層の所在情報に基づいて、データファイルを抽出するようにしてもよい。
【００７１】
映像処理部２８は、分離部２６によって抽出された映像アセットをデコードすることによって画像（映像）の信号を出力する。
音声処理部３０は、分離部２６によって抽出された音声アセットをデコードすることによって音声の信号を出力する。
データ処理部３２は、分離部２６によって抽出されたデータアセットを処理することによって画像の信号を出力する。
字幕処理部３４は、分離部２６によって抽出された字幕アセットを処理することによって画像の信号を出力する。
文字スーパー処理部３６は、分離部２６によって抽出された文字スーパーアセットを処理することによって画像の信号を出力する。
【００７２】
提示部３８は、少なくとも、映像処理部２８およびデータ処理部３２から出力される画像をオーバーレイして画面に提示する。提示部３８は、さらに、字幕処理部３４から出力される画像や文字スーパー処理部３６から出力される画像を、オーバーレイして画面に提示する。また、提示部３８は、音声処理部３０から出力される音声を提示する。
【００７３】
ここで、本実施形態における制御情報、特に、データファイルの所在を示す制御情報について説明する。
ＭＨ−アプリケーション情報テーブル（ＡＩＴ）自体は、低階層で伝送される。
そして、ＭＨ−アプリケーション情報テーブル内にオートスタート（自動起動）のアプリケーションを定義する。また、そのアプリケーションに関連付けて、階層ごとの複数のＵＲＬを記述可能としている。具体的には、ＭＨ−アプリケーション情報テーブル内のアプリケーションループの記述子として、高階層と低階層の各階層用にＭＨ−伝送プロトコル記述子を記述する。これにより、各階層に応じたベースディレクトリを定義することが可能となる。一例として、高階層用のベースディレクトリを「／ｓｈｖ」とし、低階層用のベースディレクトリを「／ｓｈｖ−Ｌ」とする。なお、ベースディレクトリ名は、これらに限られない。高階層用と低階層用のベースディレクトリ名が区別できればよい。
【００７４】
一方、ＭＨ−簡易アプリケーションロケーション記述子は、各階層で共有される。ＭＨ−簡易アプリケーションロケーション記述子は、ベースディレクトリの下に配置されるファイル（パス）の名称を定義する。一例として、高階層用のファイルのパス名と低階層用のファイルのパス名を「／ｍｅｎｕ／ｔｏｐ．ｈｔｍｌ」とする。つまり、高階層および低階層が共有するＭＨ−簡易アプリケーションロケーション記述子において記述されるファイル名が、「／ｍｅｎｕ／ｔｏｐ．ｈｔｍｌ」である。なお、ここで定義されるパス名もまた、任意である。
【００７５】
上記の例にしたがうと、高階層用のＵＲＬとして、「／ｓｈｖ／ｍｅｎｕ／ｔｏｐ．ｈｔｍｌ」が定義される。また、低階層用のＵＲＬとして、「／ｓｈｖ−Ｌ／ｍｅｎｕ／ｔｏｐ．ｈｔｍｌ」が定義される。また、上記の各ＵＲＬに対応して、別々の（つまり、高階層用および低階層用の）コンテンツが制作され、伝送される。なお、ベースディレクトリ名や、その下のパス名は、放送事業者の運用で適宜定めれば良い。
【００７６】
従来技術では、ＭＨ−伝送プロトコル記述子において、複数の階層についての定義を記述することはできなかった。しかし、本実施形態では、上述したように、高階層と低階層の各階層用にＭＨ−伝送プロトコル記述子を記述する。そのため、ＭＨ−伝送プロトコル記述子におけるプロトコル識別（protocol_id，プロトコルＩＤ）として、高階層用の値と低階層の値とを使い分ける。
【００７７】
図１２は、ＭＨ−伝送プロトコル記述子におけるプロトコル識別の値とその意味の定義の例を示す概略図である。同図に示すように、プロトコル識別の値が０ｘ０００５（１６進表現）のときには、ＭＭＴで伝送される、高階層によるデータコンテンツ（non-timed，提示時刻と関連付けられていないコンテンツ）であること表す。また、プロトコル識別の値が０ｘ０００６（１６進表現）のときには、ＭＭＴで伝送される、低階層によるデータコンテンツ（non-timed）であること表す。なお、その他、プロトコル識別が０ｘ０００３（１６進表現）の場合は、ＨＴＴＰまたはＨＴＴＰ５による伝送である。また、プロトコル識別が０ｘ０００４（１６進表現）の場合は、データカルーセルによる伝送である。また、プロトコル識別の値として、０ｘ０００１から０ｘ０００３まで、および０ｘ０００７から０ｘｆｆｆｆまでは、リザーブされている。
【００７８】
このように、高階層用のプロトコル識別と低階層用のプロトコル識別の値を別にすることにより、ＡＩＴ内に、高階層用のＭＨ−伝送プロトコル識別子と、低階層用のＭＨ−伝送プロトコル識別子とを格納することができる。そして、高階層用および低階層用のそれぞれのＭＨ−伝送プロトコル識別子内に、各々独自のベースディレクトリ名を定義することが可能となる。そして、受信装置８は、高階層と低階層のそれぞれのＵＲＬに基づいて、受信すべき階層のデータファイルの所在を求め、それらのデータファイルを取得する。
【００７９】
送信装置４は、上で述べた制御情報を含む放送信号を送信する。また、受信装置８は、その放送信号を受信し、受信した放送信号に基づいて階層を判定し、判定結果として決定した階層のコンテンツを取得し、提示する。
【００８０】
図１３は、本実施形態における送信装置の概略機能構成を示すブロック図である。同図に示すように、送信装置４は、映像供給部５２と、音声供給部５４と、データ供給部５６と、字幕供給部５８と、文字スーパー供給部６０と、多重化部６２と、送信部６４と、制御情報設定部６６と、を含んで構成される。
【００８１】
映像供給部５２は、階層変調のための複数の階層を含んだ映像アセットを供給する。
音声供給部５４は、階層変調のための複数の階層を含んだ音声アセットを供給する。
データ供給部５６は、階層変調のための複数の階層を含んだデータアセットを供給する。
字幕供給部５８は、階層変調のための複数の階層を含んだ字幕アセットを供給する。
文字スーパー供給部６０は、階層変調のための複数の階層を含んだ文字スーパーアセットを供給する。
【００８２】
多重化部６２は、少なくとも映像アセットとデータアセットと制御情報とを含んだ放送信号を生成する。多重化部６２は、さらに、音声アセットと字幕アセットと文字スーパーアセットをも含んだ放送信号を生成する。これらのアセットは、映像供給部５２と音声供給部５４とデータ供給部５６と字幕供給部５８と文字スーパー供給部６０によって供給されるものである。
送信部６４は、多重化部６２で生成された放送信号を送信する。
【００８３】
制御情報設定部６６は、伝送のための制御情報を設定する。なお、制御情報設定部６６は、データアセットに関して、所定のテーブル（例えば、アプリケーション情報テーブル）内に、複数の階層の各々に対応付けて、データファイルの所在情報（例えば、ベースディレクトリ名）を格納する。なお、各階層の所在情報（例えば、ベースディレクトリ名）を格納する場所は、例えば、アプリケーション情報テーブル内のＭＨ−伝送プロトコル記述子内である。また、ＭＨ−伝送プロトコル記述子において階層を区別できるようにするため、例えば、プロトコル識別（protocol_id）の値として、各階層用の値を予め定義しておく。なお、制御情報設定部６６が、字幕アセットおよび文字スーパーアセットについても同様に、各アセットに関して、所定のテーブル内に格納されている前記複数の階層の各々の所在情報（例えば、ベースディレクトリ名）を格納するようにしてもよい。
【００８４】
以上、説明したように、本実施形態による受信装置は、放送信号を受信する受信部と、前記放送信号が階層変調されている場合に複数の階層のうちのいずれの階層を受信するかを、受信した前記放送信号に基づいて判定する階層判定部と、前記放送信号から、前記階層判定部によって決定された階層の、少なくとも映像アセットとデータアセットとを抽出する分離部と、前記分離部によって抽出された前記映像アセットをデコードすることによって画像の信号を出力する映像処理部と、前記分離部によって抽出された前記データアセットを処理することによって画像の信号を出力するデータ処理部と、少なくとも、前記映像処理部および前記データ処理部から出力される画像をオーバーレイして画面に提示する提示部と、を具備し、前記分離部は、前記データアセットに関して、所定のテーブル（例えば、アプリケーション情報テーブル）内に格納されている前記複数の階層の各々の所在情報（例えば、ベースディレクトリ名）のうち、前記階層判定部によって決定された階層の前記所在情報に基づいて、データファイルを抽出するものである、ことを特徴とする受信装置である。なお、各階層の所在情報（例えば、ベースディレクトリ名）を格納する場所は、例えば、アプリケーション情報テーブル内のＭＨ−伝送プロトコル記述子内である。また、ＭＨ−伝送プロトコル記述子において階層を区別できるようにするため、例えば、プロトコル識別（protocol_id）の値として、各階層用の値を定義する。なお、この受信装置の分離部が、字幕アセットおよび文字スーパーアセットについても同様に、各アセットに関して、所定のテーブル内に格納されている前記複数の階層の各々の所在情報（例えば、ベースディレクトリ名）のうち、前記階層判定部によって決定された階層の前記所在情報に基づいて、データファイルを抽出するようにしてもよい。
【００８５】
また、本実施形態による送信装置は、階層変調のための複数の階層を含んだ映像アセットを供給する映像供給部と、階層変調のための複数の階層を含んだデータアセットを供給するデータ供給部と、伝送のための制御情報を設定する制御情報設定部と、少なくとも前記映像アセットと前記データアセットと前記制御情報とを含んだ放送信号を生成する多重化部と、前記多重化部で生成された放送信号を送信する送信部と、を具備し、前記制御情報設定部は、前記データアセットに関して、所定のテーブル（例えば、アプリケーション情報テーブル）内に、前記複数の階層の各々に対応付けて、データファイルの所在情報（例えば、ベースディレクトリ名）を格納する、ことを特徴とする送信装置。なお、各階層の所在情報（例えば、ベースディレクトリ名）を格納する場所は、例えば、アプリケーション情報テーブル内のＭＨ−伝送プロトコル記述子内である。また、ＭＨ−伝送プロトコル記述子において階層を区別できるようにするため、例えば、プロトコル識別（protocol_id）の値として、各階層用の値を定義する。なお、字幕アセットおよび文字スーパーアセットについても同様に、各アセットに関して、所定のテーブル内に格納されている前記複数の階層の各々の所在情報（例えば、ベースディレクトリ名）を格納するようにしてもよい。
【００８６】
なお、上述した各実施形態における送信装置および受信装置の機能の少なくとも一部をコンピューターで実現するようにしても良い。その場合、これらの機能を実現するためのプログラムをコンピューター読み取り可能な記録媒体に記録して、この記録媒体に記録されたプログラムをコンピューターシステムに読み込ませ、実行することによって実現しても良い。なお、ここでいう「コンピューターシステム」とは、ＯＳや周辺機器等のハードウェアを含むものとする。また、「コンピューター読み取り可能な記録媒体」とは、フレキシブルディスク、光磁気ディスク、ＲＯＭ、ＣＤ−ＲＯＭ等の可搬媒体、コンピューターシステムに内蔵されるハードディスク等の記憶装置のことをいう。さらに「コンピューター読み取り可能な記録媒体」とは、インターネット等のネットワークや電話回線等の通信回線を介してプログラムを送信する場合の通信線のように、短時間の間、動的にプログラムを保持するもの、その場合のサーバーやクライアントとなるコンピューターシステム内部の揮発性メモリのように、一定時間プログラムを保持しているものも含んでも良い。
また上記プログラムは、前述した機能の一部を実現するためのものであっても良く、さらに前述した機能をコンピューターシステムにすでに記録されているプログラムとの組み合わせで実現できるものであっても良い。
【００８７】
以上、複数の実施形態を説明したが、本発明はさらに次のような変形例でも実施することが可能である。
例えば、階層変調における階層数は、２に限らず、３以上でも良い。第１実施形態および第２実施形態では、階層変調の階層数を２とした（高階層と低階層）が、３階層以上の場合にも、第１実施形態および第２実施形態のそれぞれの方法で、送信装置および受信装置を構成することができる。
【００８８】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００８９】
本発明は、放送等、コンテンツを配信するための装置に利用可能である。また、それらの装置を用いたコンテンツ配信事業等に利用可能である。
【符号の説明】
【００９０】
１，２  放送システム
３，４  送信装置
５，６  放送衛星
７，８  受信装置
２１，２２  受信部
２３，２４  階層判定部
２５，２６  分離部
２７，２８  映像処理部
２９，３０  音声処理部
３１，３２  データ処理部
３３，３４  字幕処理部
３５，３６  文字スーパー処理部
３７，３８  提示部
５１，５２  映像供給部
５３，５４  音声供給部
５５，５６  データ供給部
５７，５８  字幕供給部
５９，６０  文字スーパー供給部
６１，６２  多重化部
６３，６４  送信部
６５，６６  制御情報設定部
【図１】
2017139814.tif 000003
【図２】
2017139814.tif 000004
【図３】
2017139814.tif 000005
【図４】
2017139814.tif 000006
【図５】
2017139814.tif 000007
【図６】
2017139814.tif 000008
【図７】
2017139814.tif 000009
【図８】
2017139814.tif 000010
【図９】
2017139814.tif 000011
【図１０】
2017139814.tif 000012
【図１１】
2017139814.tif 000013
【図１２】
2017139814.tif 000014
【図１３】
2017139814.tif 000015